(57)【要約】  【課題】  留守モード設定時の留守案内メッセージを送信中に、秘密キーを受信すると、転送先携帯電話機にダイヤル発信し、発信元端末と転送先携帯電話機を接続することにより、最少の時間で緊急の用件を伝えることを可能にするメール装置を提供する。  【解決手段】  転送先携帯電話番号と秘密キーを登録し、留守モード設定時に、構内交換機２から転送されてくる着信に応答し、留守案内メッセージを送信中に構内交換機２を介して秘密キーを受信すると、受信した秘密キーと登録された秘密キーを照合し、両秘密キーが一致する場合には、登録された転送先携帯電話番号を構内交換機２を介して公衆網ＮＴにダイヤル発信可能な緊急発信手段４を備える。【選択図】  図１
2006080630.tif 000002
【特許請求の範囲】
【請求項１】
構内交換システムに適用されるメール装置であって、
転送先携帯電話番号と秘密キーを登録し、留守モード設定時に、前記構内交換機から転送されてくる着信に応答し、留守案内メッセージを送信中に前記構内交換機を介して秘密キーを受信すると、受信した秘密キーと登録された秘密キーを照合し、両秘密キーが一致する場合には、登録された転送先携帯電話番号を前記構内交換機を介して公衆網にダイヤル発信可能な緊急発信手段を備えたことを特徴とするメール装置。
【請求項２】
前記緊急発信手段は、転送先携帯電話番号と秘密キーを登録するとともに、留守案内メッセージおよび伝言メッセージを蓄積するメールボックスと、前記構内交換機を介して送信されてくる秘密キーを受信する秘密キー受信手段と、前記秘密キー受信手段が受信した秘密キーと前記メールボックスに登録された秘密キーを照合する照合手段と、受信した秘密キーと登録された秘密キーとの一致を判定する判定手段と、前記判定手段からの判定信号に基づいて留守案内メッセージを停止する停止手段と、前記判定手段からの判定信号に基づいて前記メールボックスに登録された転送先携帯電話番号をダイヤル発信するダイヤル発信手段と、シーケンス動作を制御する緊急発信制御手段と、を備えたことを特徴とする請求項１記載のメール装置。
【請求項３】
構内交換システムに適用されるメール装置であって、
転送先電子メールアドレス、秘密キーおよび特定の電子メールを登録し、留守モード設定時に、前記構内交換機から転送されてくる着信に応答し、留守案内メッセージを送信中に前記構内交換機を介して秘密キーを受信すると、受信した秘密キーと登録された秘密キーを照合し、両秘密キーが一致する場合には、登録された電子メールアドレスを前記構内交換機を介して公衆網に送信し、転送先携帯電話機が応答すると、特定の電子メールを送信可能な電子メール送信手段を備えたことを特徴とするメール装置。
【請求項４】
前記電子メール送信手段は、転送先電子メールアドレス、秘密キーおよび特定の電子メールを登録するとともに、留守案内メッセージおよび伝言メッセージを蓄積するメールボックスと、前記構内交換機を介して送信されてくる秘密キーを受信する秘密キー受信手段と、前記秘密キー受信手段が受信した秘密キーと前記メールボックスに登録された秘密キーを照合する照合手段と、受信した秘密キーと登録された秘密キーとの一致を判定する判定手段と、前記判定手段からの判定信号に基づいて留守案内メッセージを停止する停止手段と、前記判定手段からの判定信号に基づいて前記メールボックスに登録された転送先電子メールアドレスを送信するメールアドレス送信手段と、転送先携帯電話機が応答すると、特定の電子メールの送信を制御するとともに、シーケンス動作を制御する緊急メール発信制御手段と、を備えたことを特徴とする請求項３記載のメール装置。
【請求項５】
前記秘密キーは、暗証番号であることを特徴とする請求項１、請求項２、請求項３または請求項４記載のメール装置。
【請求項６】
前記秘密キーは、音声であることを特徴とする請求項１、請求項２、請求項３または請求項４記載のメール装置。
【請求項７】
公衆網に無線で接続される携帯電話機であって、
秘密キーを登録し、留守モード設定時に、前記公衆網からの着信にノンリンギングで応答し、留守案内メッセージを送信中に前記公衆網から秘密キーを受信すると、受信した秘密キーと登録された秘密キーを照合し、両秘密キーが一致する場合には、リンギングを鳴動して緊急の着信を通知する緊急着信手段を備えたことを特徴とする携帯電話機。
【請求項８】
前記緊急着信手段は、秘密キーを登録するとともに、留守案内メッセージおよび伝言メッセージを蓄積する記憶手段と、前記公衆網から送信されてくる秘密キーを受信する秘密キー受信手段と、前記受信手段が受信した秘密キーと前記記憶手段に登録された秘密キーを照合する照合手段と、受信した秘密キーと登録された秘密キーとの一致を判定する判定手段と、前記判定手段からの判定信号に基づいて留守案内メッセージを停止する停止手段と、前記判定手段からの判定信号に基づいてリンギングを鳴動する着信音発生手段と、シーケンス動作を制御する緊急着信制御手段と、を備えたことを特徴とする請求項７記載の携帯電話機。
【請求項９】
前記秘密キーは、暗証番号であることを特徴とする請求項７または請求項８記載の携帯電話機。
【請求項１０】
前記秘密キーは、音声であることを特徴とする請求項７または請求項８記載の携帯電話機。
【請求項１１】
秘密キーを用いて緊急発信を行うメール装置の緊急発信方法であって、
転送先携帯電話番号と秘密キーを登録するステップＳ１と、
留守モードに設定するステップＳ２と、
発信元端末からの着信に応答して留守案内メッセージを送信するステップＳ３と、
留守案内メッセージを送信中に、発信元端末から秘密キーを受信するステップＳ４と、
受信した秘密キーと登録された秘密キーを照合するステップＳ５と、
両秘密キーが一致するか否かを判定するステップＳ６と、
両秘密キーが一致する場合には、留守案内メッセージの送信を停止するステップＳ７と、
登録された転送先携帯電話番号をダイヤル発信するステップＳ８と、
を備えたことを特徴とするメール装置の緊急発信方法。
【請求項１２】
秘密キーを用いて緊急の着信を通知する携帯電話機の着信通知方法であって、
秘密キーを登録するステップＰ１と、
留守モードに設定するステップＰ２と、
発信元端末からの着信にノンリンギング応答して留守案内メッセージを送信するステップＰ３と、
留守案内メッセージを送信中に、発信元端末からから秘密キーを受信するステップＰ４と、
受信した秘密キーと登録された秘密キーを照合するステップＰ５と、
両秘密キーが一致するか否かを判定するステップＰ６と、
両秘密キーが一致する場合には、留守案内メッセージの送信を停止するステップＰ７と、
リンギングを鳴動し、緊急の着信を通知するステップＰ８と、
を備えたことを特徴とする携帯電話機の着信通知方法。
【発明の詳細な説明】
【技術分野】
【０００１】
本発明は構内交換システムに適用するメール装置および携帯電話機に係り、特に秘密キーを用いて転送先携帯電話機にダイヤル発信可能なメール装置およびノンリンギング応答中にリンギング鳴動して緊急の着信を通知する携帯電話機に関する。
【背景技術】
【０００２】
従来のメール装置は、留守モード設定時に、発信元端末から着信があると、留守案内メッセージを送信後に、発信元端末からの伝言メッセージを録音し、伝言メッセージの録音が終了してから予め登録された転送先携帯電話番号などをダイヤル発信し、転送先携帯電
機などが応答すると、録音された伝言メッセージを送信するものが知られている。
【０００３】
これにより、転送先携帯電話機などの使用者は、外出先からでも発信元端末からの伝言メッセージを聞き取ることができ、緊急の要件の場合には、転送先携帯電話機などから伝言メッセージを残した発信元端末に電話をし、緊急の要件を確認することができる。
【０００４】
また、従来の携帯電話機などは、「特許文献１」（通信端末装置）に開示されているように、着信音を鳴らさないモード設定時に、発信元端末から着信があり、呼出し時間が所定時間を経過しても続く場合には、緊急の着信と判断し、発信元端末側が不特定多数であっても、着信音を鳴らして着信者に緊急の着信であることを報知する。
【０００５】
また、「特許文献１」（通信端末装置）に開示された携帯電話機などは、着信音を鳴らさないモード設定時に、発信元端末から着信があり、かつ発信元端末から暗証番号が入力されると、暗証番号が正しい番号と一致するか否かを判定し、暗証番号が正しいと判定された場合には、緊急時の着信と判断して着信音を鳴らして着信者に緊急の着信であることを報知する。
【特許文献１】特開２０００−３２１２５号公報
【発明の開示】
【発明が解決しようとする課題】
【０００６】
従来のメール装置は、発信元端末からの着信が緊急のものであっても、留守案内メッセージを送信後に、発信元端末からの伝言メッセージを録音し、伝言メッセージの録音が終了してから予め登録された転送先携帯電話番号などをダイヤル発信し、転送先携帯電
機などが応答すると、録音された伝言メッセージを送信するため、着信から留守案内メッセージの終了、伝言メッセージの録音終了、転送先携帯電話機などへのダイヤル発信、転送先携帯電話機などが応答して伝言メッセージを聴取するまでに時間を要し、一刻を争う緊急時には不都合を発生する課題がある。
【０００７】
また、転送先携帯電話機などは、伝言メッセージを聴取して緊急の用件を知ることになるが、より詳細な内容を知るためには、伝言メッセージを残した発信元端末に電話することになるが、さらに時間を要する虞がある。
【０００８】
「特許文献１」に開示された携帯電話機などは、不特定多数の発信元端末から着信があり、呼出し時間が所定時間を経過しても続く場合には、緊急の着信と判断し、着信音を鳴らして着信者に緊急の着信であることを報知するが、呼出し時間が長ければ、不特定多数からの着信に対して着信音を鳴らすため、重要な会議などで着信音を停止しているにも拘わらず、本当に緊急な要件でもないのに、着信音が鳴って会議を中断させられるという事態を招く虞がある。
【０００９】
また、「特許文献１」に開示された携帯電話機などは、暗証番号を用いて着信音を鳴らし、緊急の用件であることを報知するが、発信元端末からの暗証番号入力のタイミングは、携帯電話機などから留守案内メッセージが終了してから所定の期間内の時だけ有効とされているため、着信から留守案内メッセージの終了までの時間を必要とし、一刻を争う緊急時には不都合を発生する課題がある。
【００１０】
この発明はこのような課題を解決するためになされたもので、第１の目的は、留守案内メッセージを送信中に、秘密キーを受信すると、転送先携帯電話機にダイヤル発信し、発信元端末と転送先携帯電話機を通話可能にすることにより、最少の時間で緊急の用件を伝えることを可能にするメール装置を提供することにある。
【００１１】
第２の目的は、ノンリンギング応答中に秘密キーを受信すると、リンギング鳴動して緊急の着信を通知する携帯電話機を提供することにある。
【課題を解決するための手段】
【００１２】
前記課題を解決するためこの発明に係るメール装置は、構内交換システムに適用されるメール装置であって、転送先携帯電話番号と秘密キーを登録し、留守モード設定時に、構内交換機から転送されてくる着信に応答し、留守案内メッセージを送信中に構内交換機を介して秘密キーを受信すると、受信した秘密キーと登録された秘密キーを照合し、両秘密キーが一致する場合には、登録された転送先携帯電話番号を構内交換機を介して公衆網にダイヤル発信可能な緊急発信手段を備えたことを特徴とする。
【００１３】
この発明に係るメール装置は、転送先携帯電話番号と秘密キーを登録し、留守モード設定時に、構内交換機から転送されてくる着信に応答し、留守案内メッセージを送信中に構内交換機を介して秘密キーを受信すると、受信した秘密キーと登録された秘密キーを照合し、両秘密キーが一致する場合には、登録された転送先携帯電話番号を構内交換機を介して公衆網にダイヤル発信可能な緊急発信手段を備えたので、留守モード設定時に着信があり、留守案内メッセージを送信中であっても、秘密キーを受信して、受信した秘密キーと登録された秘密キーの一致が判定されると、留守案内メッセージを停止して転送先携帯電話番号をダイヤル発信し、転送先携帯電話機と発信元端末とが接続されて通話可能にすることができる。
【００１４】
また、この発明に係る緊急発信手段は、転送先携帯電話番号と秘密キーを登録するとともに、留守案内メッセージおよび伝言メッセージを蓄積するメールボックスと、構内交換機を介して送信されてくる秘密キーを受信する秘密キー受信手段と、秘密キー受信手段が受信した秘密キーとメールボックスに登録された秘密キーを照合する照合手段と、受信した秘密キーと登録された秘密キーとの一致を判定する判定手段と、判定手段からの判定信号に基づいて留守案内メッセージを停止する停止手段と、判定手段からの判定信号に基づいてメールボックスに登録された転送先携帯電話番号をダイヤル発信するダイヤル発信手段と、シーケンス動作を制御する緊急発信制御手段とを備えたことを特徴とする。
【００１５】
この発明に係る緊急発信手段は、転送先携帯電話番号と秘密キーを登録するとともに、留守案内メッセージおよび伝言メッセージを蓄積するメールボックスと、構内交換機を介して送信されてくる秘密キーを受信する秘密キー受信手段と、秘密キー受信手段が受信した秘密キーとメールボックスに登録された秘密キーを照合する照合手段と、受信した秘密キーと登録された秘密キーとの一致を判定する判定手段と、判定手段からの判定信号に基づいて留守案内メッセージを停止する停止手段と、判定手段からの判定信号に基づいてメールボックスに登録された転送先携帯電話番号をダイヤル発信するダイヤル発信手段と、シーケンス動作を制御する緊急発信制御手段とを備えたので、秘密キーの受信により、留守モード設定時の留守案内メッセージおよび伝言メッセージ録音の一連のシーケンス動作をスキップして転送先携帯電話機にダイヤル発信し、発信元端末と転送先携帯電話機とを接続させて通話可能にすることができる。
【００１６】
さらに、この発明に係るメール装置は、構内交換システムに適用されるメール装置であって、転送先電子メールアドレス、秘密キーおよび特定の電子メールを登録し、留守モード設定時に、構内交換機から転送されてくる着信に応答し、留守案内メッセージを送信中に構内交換機を介して秘密キーを受信すると、受信した秘密キーと登録された秘密キーを照合し、両秘密キーが一致する場合には、登録された電子メールアドレスを構内交換機を介して公衆網に送信し、転送先携帯電話機が応答すると、特定の電子メールを送信可能な電子メール送信手段を備えたことを特徴とする。
【００１７】
この発明に係るメール装置は、転送先電子メールアドレス、秘密キーおよび特定の電子メールを登録し、留守モード設定時に、構内交換機から転送されてくる着信に応答し、留守案内メッセージを送信中に構内交換機を介して秘密キーを受信すると、受信した秘密キーと登録された秘密キーを照合し、両秘密キーが一致する場合には、登録された電子メールアドレスを構内交換機を介して公衆網に送信し、転送先携帯電話機が応答すると、特定の電子メールを送信可能な電子メール送信手段を備えたので、留守モード設定時に着信があり、留守案内メッセージを送信中であっても、秘密キーを受信して受信した秘密キーと登録された秘密キーの一致が判定されると、留守案内メッセージを停止して電子メールアドレスを転送先携帯電話機に送信し、転送先携帯電話機が応答すると、特定の電子メールを送信することができる。
【００１８】
また、この発明に係る電子メール送信手段は、転送先電子メールアドレス、秘密キーおよび特定の電子メールを登録するとともに、留守案内メッセージおよび伝言メッセージを蓄積するメールボックスと、構内交換機を介して送信されてくる秘密キーを受信する秘密キー受信手段と、秘密キー受信手段が受信した秘密キーとメールボックスに登録された秘密キーを照合する照合手段と、受信した秘密キーと登録された秘密キーとの一致を判定する判定手段と、判定手段からの判定信号に基づいて留守案内メッセージを停止する停止手段と、判定手段からの判定信号に基づいてメールボックスに登録された転送先電子メールアドレスを送信するメールアドレス送信手段と、転送先携帯電話機が応答すると、特定の電子メールの送信を制御するとともに、シーケンス動作を制御する緊急メール発信制御手段とを備えたことを特徴とする。
【００１９】
この発明に係る電子メール送信手段は、転送先電子メールアドレス、秘密キーおよび特定の電子メールを登録するとともに、留守案内メッセージおよび伝言メッセージを蓄積するメールボックスと、構内交換機を介して送信されてくる秘密キーを受信する秘密キー受信手段と、秘密キー受信手段が受信した秘密キーとメールボックスに登録された秘密キーを照合する照合手段と、受信した秘密キーと登録された秘密キーとの一致を判定する判定手段と、判定手段からの判定信号に基づいて留守案内メッセージを停止する停止手段と、判定手段からの判定信号に基づいてメールボックスに登録された転送先電子メールアドレスを送信するメールアドレス送信手段と、転送先携帯電話機が応答すると、特定の電子メールの送信を制御するとともに、シーケンス動作を制御する緊急メール発信制御手段とを備えたので、秘密キーの受信により、留守モード設定時の留守案内メッセージおよび伝言メッセージ録音の一連のシーケンス動作をスキップして転送先携帯電話機を呼び出し、転送先携帯電話機の応答によって特定の電子メールを送信して緊急の用件を伝えることができる。
【００２０】
さらに、この発明に係る秘密キーは、暗証番号であることを特徴とする。
【００２１】
また、秘密キーは、音声であることを特徴とする。
【００２２】
この発明に係る秘密キーは、暗証番号や音声であるので、暗証番号の場合には予め相手に知らせ、音声の場合には予め留守モードを設定する側の声を相手電話機（発信元端末）に録音することに形成することができる。また、秘密キーは、音声に代えてメロディであってもよい。
【００２３】
さらに、この発明に係る携帯電話機は、公衆網に無線で接続される携帯電話機であって、秘密キーを登録し、留守モード設定時に、公衆網からの着信にノンリンギングで応答し、留守案内メッセージを送信中に公衆網から秘密キーを受信すると、受信した秘密キーと登録された秘密キーを照合し、両秘密キーが一致する場合には、リンギングを鳴動して緊急の着信を通知する緊急着信手段を備えたことを特徴とする。
【００２４】
この発明に係る携帯電話機は、秘密キーを登録し、留守モード設定時に、公衆網からの着信にノンリンギングで応答し、留守案内メッセージを送信中に公衆網から秘密キーを受信すると、受信した秘密キーと登録された秘密キーを照合し、両秘密キーが一致する場合には、リンギングを鳴動して緊急の着信を通知する緊急着信手段を備えたので、留守モード設定時に、着信音を鳴音しないノンリンギング設定であっても、秘密キーを受信するとリンギング（着信音）を鳴動して緊急の着信であることを通知することができ、ノンリンギングを解除するほどの緊急な用件または重要な用件であることを通知することができる。
【００２５】
また、この発明に係る緊急着信手段は、秘密キーを登録するとともに、留守案内メッセージおよび伝言メッセージを蓄積する記憶手段と、公衆網から送信されてくる秘密キーを受信する秘密キー受信手段と、受信手段が受信した秘密キーと記憶手段に登録された秘密キーを照合する照合手段と、受信した秘密キーと登録された秘密キーとの一致を判定する判定手段と、判定手段からの判定信号に基づいて留守案内メッセージを停止する停止手段と、判定手段からの判定信号に基づいてリンギングを鳴動する着信音発生手段と、シーケンス動作を制御する緊急着信制御手段とを備えたことを特徴とする。
【００２６】
この発明に係る緊急着信手段は、秘密キーを登録するとともに、留守案内メッセージおよび伝言メッセージを蓄積する記憶手段と、公衆網から送信されてくる秘密キーを受信する秘密キー受信手段と、受信手段が受信した秘密キーと記憶手段に登録された秘密キーを照合する照合手段と、受信した秘密キーと登録された秘密キーとの一致を判定する判定手段と、判定手段からの判定信号に基づいて留守案内メッセージを停止する停止手段と、判定手段からの判定信号に基づいてリンギングを鳴動する着信音発生手段と、シーケンス動作を制御する緊急着信制御手段とを備えたので、秘密キーの受信により、留守モード設定時の留守案内メッセージおよび伝言メッセージ録音の一連のシーケンス動作をスキップするとともに、ノンリンギング設定を解除してリンギングを鳴動して緊急の用件の着信であることを通知することができる。
【００２７】
さらに、この発明に係る秘密キーは、暗証番号であることを特徴とする。
【００２８】
また、この発明に係る秘密キーは、音声であることを特徴とする。
【００２９】
この発明に係る秘密キーは、暗証番号や音声であるので、暗証番号の場合には予め相手に知らせ、音声の場合には予め留守モードを設定する側の声を相手電話機（発信元端末）に録音することによって形成することができる。また、秘密キーは、音声に代えてメロディであってもよい。
【００３０】
さらに、この発明に係るメール装置の緊急発信方法は、秘密キーを用いて緊急発信を行う緊急発信方法であって、転送先携帯電話番号と秘密キーを登録するステップＳ１と、留守モードに設定するステップＳ２と、発信元端末からの着信に応答して留守案内メッセージを送信するステップＳ３と、留守案内メッセージを送信中に、発信元端末から秘密キーを受信するステップＳ４と、受信した秘密キーと登録された秘密キーを照合するステップＳ５と、両秘密キーが一致するか否かを判定するステップＳ６と、両秘密キーが一致する場合には、留守案内メッセージの送信を停止するステップＳ７と、登録された転送先携帯電話番号をダイヤル発信するステップＳ８とを備えたことを特徴とする。
【００３１】
この発明に係るメール装置の緊急発信方法は、転送先携帯電話番号と秘密キーを登録するステップＳ１と、留守モードに設定するステップＳ２と、発信元端末からの着信に応答して留守案内メッセージを送信するステップＳ３と、留守案内メッセージを送信中に、発信元端末から秘密キーを受信するステップＳ４と、受信した秘密キーと登録された秘密キーを照合するステップＳ５と、両秘密キーが一致するか否かを判定するステップＳ６と、両秘密キーが一致する場合には、留守案内メッセージの送信を停止するステップＳ７と、登録された転送先携帯電話番号をダイヤル発信するステップＳ８とを備えたので、転送先携帯電話番号と秘密キーを登録することにより、留守モード設定時に着信があり、続いて秘密キーを受信すると、直ちに転送先携帯電話番号をダイヤル発信して転送先携帯電話機に接続することができる。
【００３２】
また、この発明に係る携帯電話機の着信通知方法は、秘密キーを用いて緊急の着信を通知する着信通知方法であって、秘密キーを登録するステップＰ１と、留守モードに設定するステップＰ２と、発信元端末からの着信にノンリンギング応答して留守案内メッセージを送信するステップＰ３と、留守案内メッセージを送信中に、発信元端末からから秘密キーを受信するステップＰ４と、受信した秘密キーと登録された秘密キーを照合するステップＰ５と、両秘密キーが一致するか否かを判定するステップＰ６と、両秘密キーが一致する場合には、留守案内メッセージの送信を停止するステップＰ７と、リンギングを鳴動し、緊急の着信を通知するステップＰ８とを備えたことを特徴とする。
【００３３】
この発明に係る携帯電話機の着信通知方法は、秘密キーを用いて緊急の着信を通知する着信通知方法であって、秘密キーを登録するステップＰ１と、留守モードに設定するステップＰ２と、発信元端末からの着信にノンリンギング応答して留守案内メッセージを送信するステップＰ３と、留守案内メッセージを送信中に、発信元端末からから秘密キーを受信するステップＰ４と、受信した秘密キーと登録された秘密キーを照合するステップＰ５と、両秘密キーが一致するか否かを判定するステップＰ６と、両秘密キーが一致する場合には、留守案内メッセージの送信を停止するステップＰ７と、リンギングを鳴動し、緊急の着信を通知するステップＰ８とを備えたので、留守モード設定時のノンリンギング設定であっても、秘密キーを受信すると直ちにノンリンギング設定を解除し、リンギング（着信音）を鳴動させて緊急の着信であることを通知することができる。
【発明の効果】
【００３４】
この発明に係るメール装置は、転送先携帯電話番号と秘密キーを登録し、留守モード設定時に、構内交換機から転送されてくる着信に応答し、留守案内メッセージを送信中に構内交換機を介して秘密キーを受信すると、受信した秘密キーと登録された秘密キーを照合し、両秘密キーが一致する場合には、登録された転送先携帯電話番号を構内交換機を介して公衆網にダイヤル発信可能な緊急発信手段を備えたので、留守モード設定時に着信があり、留守案内メッセージを送信中であっても、秘密キーを受信して、受信した秘密キーと登録された秘密キーの一致が判定されると、留守案内メッセージを停止して転送先携帯電話番号をダイヤル発信し、転送先携帯電話機と発信元端末とが接続されて通話可能にすることができ、緊急の用件を最短時間で通知することができる。
【００３５】
また、この発明に係る緊急発信手段は、転送先携帯電話番号と秘密キーを登録するとともに、留守案内メッセージおよび伝言メッセージを蓄積するメールボックスと、構内交換機を介して送信されてくる秘密キーを受信する秘密キー受信手段と、秘密キー受信手段が受信した秘密キーとメールボックスに登録された秘密キーを照合する照合手段と、受信した秘密キーと登録された秘密キーとの一致を判定する判定手段と、判定手段からの判定信号に基づいて留守案内メッセージを停止する停止手段と、判定手段からの判定信号に基づいてメールボックスに登録された転送先携帯電話番号をダイヤル発信するダイヤル発信手段と、シーケンス動作を制御する緊急発信制御手段とを備えたので、秘密キーの受信により、留守モード設定時の留守案内メッセージおよび伝言メッセージ録音の一連のシーケンス動作をスキップして転送先携帯電話機にダイヤル発信し、発信元端末と転送先携帯電話機とを接続させて通話可能にすることができ、緊急の用件の通知を最短時間で実行し、利便性の向上を図ることができる。
【００３６】
さらに、この発明に係るメール装置は、転送先電子メールアドレス、秘密キーおよび特定の電子メールを登録し、留守モード設定時に、構内交換機から転送されてくる着信に応答し、留守案内メッセージを送信中に構内交換機を介して秘密キーを受信すると、受信した秘密キーと登録された秘密キーを照合し、両秘密キーが一致する場合には、登録された電子メールアドレスを構内交換機を介して公衆網に送信し、転送先携帯電話機が応答すると、特定の電子メールを送信可能な電子メール送信手段を備えたので、留守モード設定時に着信があり、留守案内メッセージを送信中であっても、秘密キーを受信して受信した秘密キーと登録された秘密キーの一致が判定されると、留守案内メッセージを停止して電子メールアドレスを転送先携帯電話機に送信し、転送先携帯電話機が応答すると、特定の電子メールを送信することができ、直ちに緊急の用件を転送先携帯電話機に電子メールで通知することができる。
【００３７】
また、この発明に係る電子メール送信手段は、転送先電子メールアドレス、秘密キーおよび特定の電子メールを登録するとともに、留守案内メッセージおよび伝言メッセージを蓄積するメールボックスと、構内交換機を介して送信されてくる秘密キーを受信する秘密キー受信手段と、秘密キー受信手段が受信した秘密キーとメールボックスに登録された秘密キーを照合する照合手段と、受信した秘密キーと登録された秘密キーとの一致を判定する判定手段と、判定手段からの判定信号に基づいて留守案内メッセージを停止する停止手段と、判定手段からの判定信号に基づいてメールボックスに登録された転送先電子メールアドレスを送信するメールアドレス送信手段と、転送先携帯電話機が応答すると、特定の電子メールの送信を制御するとともに、シーケンス動作を制御する緊急メール発信制御手段とを備えたので、秘密キーの受信により、留守モード設定時の留守案内メッセージおよび伝言メッセージ録音の一連のシーケンス動作をスキップして転送先携帯電話機を呼び出し、転送先携帯電話機の応答によって特定の電子メールを送信して緊急の用件を伝えることができ、発信元端末からの着信から転送先携帯電話機への電子メール送信を最短時間で実行し、利便性の向上を図ることができる。
【００３８】
さらに、この発明に係る携帯電話機は、秘密キーを登録し、留守モード設定時に、公衆網からの着信にノンリンギングで応答し、留守案内メッセージを送信中に公衆網から秘密キーを受信すると、受信した秘密キーと登録された秘密キーを照合し、両秘密キーが一致する場合には、リンギングを鳴動して緊急の着信を通知する緊急着信手段を備えたので、留守モード設定時に、着信音を鳴音しないノンリンギング設定であっても、秘密キーを受信するとリンギング（着信音）を鳴動して緊急の着信であることを通知することができ、ノンリンギングを解除するほどの緊急な用件または重要な用件であることを通知して、最優先で緊急の用件を最短時間で通知し、通話することができる。
【００３９】
また、この発明に係る緊急着信手段は、秘密キーを登録するとともに、留守案内メッセージおよび伝言メッセージを蓄積する記憶手段と、公衆網から送信されてくる秘密キーを受信する秘密キー受信手段と、受信手段が受信した秘密キーと記憶手段に登録された秘密キーを照合する照合手段と、受信した秘密キーと登録された秘密キーとの一致を判定する判定手段と、判定手段からの判定信号に基づいて留守案内メッセージを停止する停止手段と、判定手段からの判定信号に基づいてリンギングを鳴動する着信音発生手段と、シーケンス動作を制御する緊急着信制御手段とを備えたので、秘密キーの受信により、留守モード設定時の留守案内メッセージおよび伝言メッセージ録音の一連のシーケンス動作をスキップするとともに、ノンリンギング設定を解除してリンギングを鳴動して緊急の用件の着信であることを通知することができ、最短時間で着信に応答して内容の確認を実行し、利便性の向上を図ることができる。
【００４０】
さらに、この発明に係る秘密キーは、暗証番号や音声であるので、暗証番号の場合には予め相手に知らせ、音声の場合には予め留守モードを設定する側の声を相手電話機（発信元端末）に録音することによって形成することができる。また、秘密キーは、音声に代えてメロディであってもよい。したがって、比較的単純な構成で実現することができる。
【００４１】
また、この発明に係るメール装置の緊急発信方法は、転送先携帯電話番号と秘密キーを登録するステップＳ１と、留守モードに設定するステップＳ２と、発信元端末からの着信に応答して留守案内メッセージを送信するステップＳ３と、留守案内メッセージを送信中に、発信元端末から秘密キーを受信するステップＳ４と、受信した秘密キーと登録された秘密キーを照合するステップＳ５と、両秘密キーが一致するか否かを判定するステップＳ６と、両秘密キーが一致する場合には、留守案内メッセージの送信を停止するステップＳ７と、登録された転送先携帯電話番号をダイヤル発信するステップＳ８とを備えたので、転送先携帯電話番号と秘密キーを登録することにより、留守モード設定時に着信があり、続いて秘密キーを受信すると、直ちに転送先携帯電話番号をダイヤル発信して転送先携帯電話機に接続することができ、緊急の用件を最短時間で通知することができる。
【００４２】
さらに、この発明に係る携帯電話機の着信通知方法は、秘密キーを用いて緊急の着信を通知する着信通知方法であって、秘密キーを登録するステップＰ１と、留守モードに設定するステップＰ２と、発信元端末からの着信にノンリンギング応答して留守案内メッセージを送信するステップＰ３と、留守案内メッセージを送信中に、発信元端末からから秘密キーを受信するステップＰ４と、受信した秘密キーと登録された秘密キーを照合するステップＰ５と、両秘密キーが一致するか否かを判定するステップＰ６と、両秘密キーが一致する場合には、留守案内メッセージの送信を停止するステップＰ７と、リンギングを鳴動し、緊急の着信を通知するステップＰ８とを備えたので、留守モード設定時のノンリンギング設定であっても、秘密キーを受信すると直ちにノンリンギング設定を解除し、リンギング（着信音）を鳴動させて緊急の着信であることを通知することができ、最優先で緊急の用件を最短時間で通知し、通話することができる。
【発明を実施するための最良の形態】
【００４３】
以下、この発明の実施の形態を添付図面に基づいて説明する。なお、本発明は一連のシーケンス動作中に、秘密キーを受信することにより、別のシーケンス動作に移行するものである。
【００４４】
図１はこの発明に係るメール装置が適用される構内交換システムの一実施の形態システム構成図である。図１において、構内交換システム１は、構内交換機２と、内線電話機ＴＥと、メール装置３とから構成され、内線電話機ＴＥは、内線ＬＩ１を介して構内交換機２に収容され、メール装置３は、内線ＬＩ２を介して構内交換機２に収容される。
【００４５】
また、構内交換機２は、局線Ｌ１を介して公衆網ＮＴに接続され、公衆網ＮＴには、局線Ｌ２を介して加入電話機ＴＥＬが接続されるとともに、無線回線を介して携帯電話機ＭＴが接続される。なお、内線電話機ＴＥ、加入電話機ＴＥＬおよび携帯電話機ＭＴをそれぞれ１台で表わしたが、一般的に、それぞれ複数台で構築する。
【００４６】
構内交換機２は、呼制御動作や交換接続動作を行い、内線電話機ＴＥ相互間の通話路路、内線電話機ＴＥと加入電話機ＴＥＬや携帯電話機ＭＴの通話路を形成する。
【００４７】
また、構内交換機２は、内線電話機ＴＥが留守モードが設定されている時に、発信元端末（例えば、加入電話機ＴＥＬ）から内線電話機ＴＥに着信がある場合には、内線電話機ＴＥ宛の着信をメール装置３に転送し、メール装置３から内線電話機ＴＥの対応した転送先携帯電話機（例えば、携帯電話機ＭＴ）の転送先携帯電話番号がダイヤル発信されると、ダイヤル発信された転送先携帯電話番号を局線Ｌ１を介して公衆網ＮＴに送信し、発信元端末（例えば、加入電話機ＴＥＬ）と転送先携帯電話機（例えば、携帯電話機ＭＴ）を接続する。
【００４８】
メール装置３は、緊急発信手段４を備え、内線電話機毎に、転送先携帯電話番号と秘密キーを登録し、例えば内線電話機ＴＥの使用者が留守モードに設定し、外出時に発信元端末（例えば、加入電話機ＴＥＬ）から内線電話機ＴＥに着信があると、構内交換機２から転送されてくる着信に応答し、留守案内メッセージを加入電話機ＴＥＬに送信する。
【００４９】
また、緊急発信手段４は、留守案内メッセージを送信中に、加入電話機ＴＥＬから秘密キーが入力されると、構内交換機２を介して送信されてくる秘密キーを受信し、受信した秘密キーと予め登録された秘密キーを照合して、両秘密キーが一致する場合には、予め登録された転送先携帯電話番号を構内交換機２を介して公衆網ＮＴにダイヤル発信する。
【００５０】
ダイヤル発信された転送先携帯電話番号に該当する携帯電話機ＭＴが応答すると、構内交換機２が加入電話機ＴＥＬと携帯電話機ＭＴを接続して通話が可能になるので、加入電話機ＴＥＬの使用者は、携帯電話機ＭＴの使用者に緊急の用件を通知することができる。
【００５１】
メール装置３は、通常、留守モード設定時に発信者（発信元端末）から着信があると、着信に応答し、留守案内メッセージを送信した後、発信者の伝言メッセージを録音し、発信者の伝言メッセージが終了して回線が開放されると、予め登録された転送先携帯電話番号を構内交換機２を介してダイヤル発信し、携帯電話機ＭＴが応答すると、録音された伝言メッセージを送信して発信者の用件を伝えるので、携帯電話機ＭＴの使用者が用件を知るまでに、留守案内メッセージ送信完了に要する時間および伝言メッセージの録音に要する時間がかかり、緊急の用件が伝わるまでにタイムラグが発生することになる。
【００５２】
しかし、メール装置３に緊急発信手段４を備えることにより、発信者からの秘密キーを受信した時点で、留守案内メッセージ送信を中止して伝言メッセージ録音をスキップし、直ちに転送先携帯電話番号をダイヤル発信して、発信者と携帯電話機ＭＴの使用者との通話を可能にするので、緊急の用件を最短時間で伝えることができる。
【００５３】
なお、秘密キーは、留守モードの設定をする携帯電話機ＭＴの使用者と発信者（例えば、加入電話機ＴＥＬ）の使用者との間で、予め暗証番号や音声で取り決めておく。
【００５４】
このように、この発明に係るメール装置３は、転送先携帯電話番号と秘密キーを登録し、留守モード設定時に、構内交換機２から転送されてくる着信に応答し、留守案内メッセージを送信中に構内交換機２を介して秘密キーを受信すると、受信した秘密キーと登録された秘密キーを照合し、両秘密キーが一致する場合には、登録された転送先携帯電話番号を構内交換機２を介して公衆網ＮＴにダイヤル発信可能な緊急発信手段４を備えたので、留守モード設定時に着信があり、留守案内メッセージを送信中であっても、秘密キーを受信して、受信した秘密キーと登録された秘密キーの一致が判定されると、留守案内メッセージを停止して転送先携帯電話番号をダイヤル発信し、転送先携帯電話機（携帯電話機ＭＴ）と発信元端末（加入電話機ＴＥＬ）とが接続されて通話可能にすることができ、緊急の用件を最短時間で通知することができる。
【００５５】
図２はこの発明に係る緊急発信手段の一実施の形態要部ブロック構成図である。図２において、メール装置３の緊急発信手段４は、マイクロプロセッサおよびメモリを基本に構成し、緊急発信制御手段５、メールボックス６、秘密キー受信手段７、照合手段８、判定手段９、停止手段１０、ダイヤル発信手段１１を備え、入／出力手段１２が接続される内線ＬＩ２を介して構内交換機２に収容される。
【００５６】
緊急発信制御手段５は、緊急発信手段４の全体の動作を制御するとともに、シーケンス動作を制御する。
【００５７】
緊急発信制御手段５は、該当する内線電話機ＴＥからの設定、または図示しないキーボードなどの入力手段からの設定により、内線電話機ＴＥに対応したメールボックス６に、秘密キーＫR、内線電話機ＴＥの使用者が携帯する携帯電話機ＭＴの転送先携帯電話番号ＮK、留守モード設定時に送信する留守案内メッセージＭRの登録、留守モード設定中に着信する発信元端末（例えば、加入電話機ＴＥＬ）の使用者の伝言メッセージを録音する伝言メッセージ記憶領域を設定する制御を実行する。
【００５８】
また、緊急発信制御手段５は、留守モード設定時に、構内交換機２から転送されてくる発信元端末（例えば、加入電話機ＴＥＬ）からの着信（呼出信号ＹS）を受信し、メールボックス６に登録された留守案内メッセージＭRを読み出し、構内交換機２を介して加入電話機ＴＥＬに送信する制御を行う。
【００５９】
さらに、緊急発信制御手段５は、留守案内メッセージＭRを送信中に、加入電話機ＴＥＬから構内交換機２を介して秘密キー受信手段７が秘密キーＫSを受信すると、メールボックス６に登録された秘密キーＫRを読み出し、登録された秘密キーＫRと受信した秘密キーＫSとを照合手段８に提供して照合する制御を実行する。
【００６０】
また、緊急発信制御手段５は、照合手段８の照合結果を判定手段９に提供し、登録された秘密キーＫRと受信した秘密キーＫSとが一致するか否かの判定を制御し、秘密キーＫSが秘密キーＫRに一致する場合（秘密キーＫS＝秘密キーＫR）には、判定手段９から判定信号ＨOを停止手段１０およびメールボックス６に提供する制御を実行する。
【００６１】
さらに、緊急発信制御手段５は、判定信号ＨOに基づいて停止手段１０から停止信号ＳTをメールボックス６に供給し、送信中の留守案内メッセージＭRを停止する制御を行う。
【００６２】
また、緊急発信制御手段５は、留守案内メッセージＭRを停止した後、判定信号ＨOに基づいてメールボックス６から転送先携帯電話番号ＮKを読み出し、ダイヤル発信手段１１からダイヤル発信する制御を実行する。
【００６３】
メールボックス６は、ＥＥＰＲＯＭやフラッシュメモリなどのメモリで構成し、秘密キーＫRを登録する秘密キー記憶領域、転送先携帯電話番号ＮKを登録する転送先電話番号記憶領域、留守案内メッセージＭRを蓄積する留守メッセージ記憶領域、発信元端末（たとえば、加入電話機ＴＥＬ）からの伝言メッセージを蓄積する伝言メッセージ記憶領域を備える。なお、上記の記憶領域は、複数の内線電話機ＴＥに対応できるように、複数のメールボックスを備える。
【００６４】
また、メールボックス６は、緊急発信制御手段５が実行するシーケンス動作制御のためのシーケンスプログラムを格納する。
【００６５】
秘密キー受信手段７は、番号検出器や音声検出器などで構成し、緊急発信制御手段５の制御により、留守案内メッセージＭRの送信中に、発信元端末（例えば、加入電話機ＴＥＬ）から構内交換機２を介して送信されてくる秘密キーＫS（暗証番号や音声）を受信し、秘密キーＫSを緊急発信制御手段５に提供する。
【００６６】
照合手段８は、緊急発信制御手段５から提供される受信した秘密キーＫSと登録された秘密キーＫRを照合し、照合結果を緊急発信制御手段５を介して判定手段９に提供する。
【００６７】
判定手段９は、照合手段８から提供された照合結果を基づき、受信した秘密キーＫSが登録された秘密キーＫRと一致するか否かを判定し、一致する場合には判定信号ＨOを緊急発信制御手段５を介して停止手段１０およびメールボックス６に提供する。
【００６８】
停止手段１０は、判定手段９から判定信号ＨOが供給されると、停止信号ＳTを緊急発信制御手段５に提供する。
【００６９】
停止信号ＳTが供給されると、緊急発信制御手段５がメールボックス６の留守案内メッセージＭRの読み出しを停止することにより、留守案内メッセージＭRの送信が停止する。
【００７０】
留守案内メッセージＭRの停止後、メールボックス６は、判定信号ＨOに基づいて登録されている転送先携帯電話番号ＮKを緊急発信制御手段５を介してダイヤル発信手段１１に提供する。
【００７１】
ダイヤル発信手段１１は、緊急発信制御手段５から転送先携帯電話番号ＮKが提供されると、転送先携帯電話番号ＮKをダイヤル発信する。
【００７２】
入／出力手段１２は、内線ＬＩ２とのインタフェースを取り、呼出信号ＹS、留守案内メッセージＭR、秘密キーＫS、転送先携帯電話番号ＮKのダイヤル発信、通話の音声信号の入力および出力などを実行する。
【００７３】
なお、発信元端末は、図１に示す加入電話機ＴＥＬで説明したが、図示しない他の内線電話機ＴＥまたは、図示しない他の携帯電話機ＭＴであってもよい。
【００７４】
また、秘密キーＫRおよび秘密キーＫSは、ＰＢ信号などの暗証番号（任意の数字列）、携帯電話機ＭＴの使用者や発信元端末の使用者の音声（任意の言葉、単語、声紋）、メロディなど局線Ｌ１，Ｌ２や内線ＬＩ２を送信可能で、メール装置３で受信可能なデータであればよい。
【００７５】
このように、この発明に係る緊急発信手段４は、転送先携帯電話番号ＮKと秘密キーＫRを登録するとともに、留守案内メッセージＭRおよび伝言メッセージを蓄積するメールボックス６と、構内交換機２を介して送信されてくる秘密キーＫSを受信する秘密キー受信手段７と、秘密キー受信手段７が受信した秘密キーＫSとメールボックス６に登録された秘密キーＫRを照合する照合手段８と、受信した秘密キーＫSと登録された秘密キーＫRとの一致を判定する判定手段９と、判定手段９からの判定信号ＨOに基づいて留守案内メッセージＭRを停止する停止手段１０と、判定手段９からの判定信号ＨOに基づいてメールボックス６に登録された転送先携帯電話番号ＮKをダイヤル発信するダイヤル発信手段１１と、シーケンス動作を制御する緊急発信制御手段５とを備えたので、秘密キーＫSの受信により、留守モード設定時の留守案内メッセージＭRおよび伝言メッセージ録音の一連のシーケンス動作をスキップして転送先携帯電話機（携帯電話機ＭＴ）にダイヤル発信し、発信元端末（加入電話機ＴＥＬ）と転送先携帯電話機（携帯電話機ＭＴ）とを接続させて通話可能にすることができ、緊急の用件の通知を最短時間で実行し、利便性の向上を図ることができる。
【００７６】
図３はこの発明に係るメール装置が適用される構内交換システムの別実施の形態システム構成図である。図３において、構内交換システム１３は、構内交換機２と、内線電話機ＴＥと、メール装置１４とから構成され、内線電話機ＴＥは、内線ＬＩ１を介して構内交換機２に収容され、メール装置１４は、内線ＬＩ２を介して構内交換機２に収容される。
【００７７】
なお、本実施の形態の構内交換システム１３と図１に示す構内交換システム１との基本的な相違点は、構内交換システム１のメール装置３が緊急発信手段４を備えているのに対し、本実施の形態に示す構内交換システム１３のメール装置１４が電子メール送信手段１５を備えている点にある。
【００７８】
構内交換機２は、局線Ｌ１を介して公衆網ＮＴに接続され、公衆網ＮＴには、局線Ｌ２を介して加入電話機ＴＥＬが接続されるとともに、無線回線を介して携帯電話機ＭＴが接続される。なお、内線電話機ＴＥ、加入電話機ＴＥＬおよび携帯電話機ＭＴをそれぞれ１台で表わしたが、一般的に、それぞれ複数台で構築する。
【００７９】
また、構内交換機２は、内線電話機ＴＥから留守モードが設定されている時に、発信元端末（例えば、加入電話機ＴＥＬ）から内線電話機ＴＥに着信がある場合には、内線電話機ＴＥ宛の着信をメール装置１４に転送し、メール装置１４から内線電話機ＴＥの対応した転送先携帯電話機（例えば、携帯電話機ＭＴ）の転送先電子メールアドレスが送信されると、送信された転送先電子メールアドレスを局線Ｌ１を介して公衆網ＮＴに送信し、携帯電話機ＭＴが応答すると、メール装置１４に予め登録されている特定の電子メールを携帯電話機ＭＴに送信する。
【００８０】
メール装置１４は、電子メール送信手段１５を備え、内線電話機毎に、転送先電子メールアドレス、秘密キー、特定の電子メールを登録し、例えば内線電話機ＴＥの使用者が留守モード設定し、外出時に発信元端末（例えば、加入電話機ＴＥＬ）から内線電話機ＴＥに着信があると、構内交換機２から転送されてくる着信に応答し、留守案内メッセージを加入電話機ＴＥＬに送信する。
【００８１】
また、電子メール送信手段１５は、留守案内メッセージを送信中に、加入電話機ＴＥＬから秘密キーが入力されると、構内交換機２を介して送信されてくる秘密キーを受信し、受信した秘密キーと予め登録された秘密キーを照合して、両秘密キーが一致する場合には、予め登録された転送先電子メールアドレスを構内交換機２を介して公衆網ＮＴに送信する。
【００８２】
公衆網ＮＴから送信されてくる転送先電子メールアドレスを携帯電話機ＭＴが受信すると、電子メール送信手段１５から登録されている特定の電子メールを構内交換機２を介して携帯電話機ＭＴに送信可能になるので、加入電話機ＴＥＬの使用者は、携帯電話機ＭＴの使用者に緊急の用件を電子メールで通知することができる。
【００８３】
メール装置１４に電子メール送信手段１５を備えることにより、発信者（例えば、加入電話機ＴＥＬ）からの秘密キーを受信した時点で、留守案内メッセージ送信を中止して伝言メッセージ録音をスキップし、直ちに転送先電子メールアドレスを送信して、携帯電話機ＭＴが応答すると、特定の電子メールを携帯電話機ＭＴに送信し、緊急の用件を携帯電話機ＭＴに電子メールで通知する。
【００８４】
なお、秘密キーは、留守モードの設定をする携帯電話機ＭＴの使用者と発信者（例えば、加入電話機ＴＥＬ）の使用者との間で、予め暗証番号や音声で取り決めておく。
【００８５】
このように、この発明に係るメール装置１４は、転送先電子メールアドレス、秘密キーおよび特定の電子メールを登録し、留守モード設定時に、構内交換機２から転送されてくる着信に応答し、留守案内メッセージを送信中に構内交換機２を介して秘密キーを受信すると、受信した秘密キーと登録された秘密キーを照合し、両秘密キーが一致する場合には、登録された電子メールアドレスを構内交換機２を介して公衆網ＮＴに送信し、転送先携帯電話機（携帯電話機ＭＴ）が応答すると、特定の電子メールを送信可能な電子メール送信手段１５を備えたので、留守モード設定時に着信があり、留守案内メッセージを送信中であっても、秘密キーを受信して受信した秘密キーと登録された秘密キーの一致が判定されると、留守案内メッセージを停止して電子メールアドレスを転送先携帯電話機（携帯電話機ＭＴ）に送信し、転送先携帯電話機が応答すると、特定の電子メールを送信することができ、直ちに緊急の用件を転送先携帯電話機に電子メールで通知することができる。
【００８６】
図４はこの発明に係る電子メール送信手段の一実施の形態要部ブロック構成図である。図４において、メール装置１４の電子メール送信手段１５は、マイクロプロセッサおよびメモリを基本に構成し、緊急メール発信制御手段１６、メールボックス１７、秘密キー受信手段１８、照合手段１９、判定手段２０、停止手段２１、メールアドレス送信手段２２を備え、入／出力手段１２が接続される内線ＬＩ２を介して構内交換機２に収容される。
【００８７】
緊急メール発信制御手段１６は、電子メール送信手段１５の全体の動作を制御するとともに、シーケンス動作を制御する。
【００８８】
緊急メール発信制御手段１６は、該当する内線電話機ＴＥからの設定、または図示しないキーボードなどの入力手段からの設定により、内線電話機ＴＥに対応したメールボックス１７に秘密キーＫR、内線電話機ＴＥの使用者が携帯する携帯電話機ＭＴの転送先電子メールアドレスＡD、留守モード設定時に送信する留守案内メッセージＭRの登録、留守モード設定中に着信する発信元端末（例えば、加入電話機ＴＥＬ）の使用者の伝言メッセージを録音する伝言メッセージ記憶領域を設定する制御を実行する。
【００８９】
また、緊急メール発信制御手段１６は、留守モード設定時に、構内交換機２から転送されてくる発信元端末（例えば、加入電話機ＴＥＬ）からの着信（呼出信号ＹS）を受信し、メールボックス１７に登録された留守案内メッセージＭRを読み出し、構内交換機２を介して加入電話機ＴＥＬに送信する制御を行う。
【００９０】
さらに、緊急メール発信制御手段１６は、留守案内メッセージＭRを送信中に、加入電話機ＴＥＬから構内交換機２を介して秘密キー受信手段１８が秘密キーＫSを受信すると、メールボックス１７に登録された秘密キーＫRを読み出し、登録された秘密キーＫRと受信した秘密キーＫSとを照合手段１９に提供して照合する制御を実行する。
【００９１】
また、緊急メール発信制御手段１６は、照合手段１９の照合結果を判定手段２０に提供し、登録された秘密キーＫRと受信した秘密キーＫSとが一致するか否かの判定を制御し、秘密キーＫSが秘密キーＫRに一致する場合（秘密キーＫS＝秘密キーＫR）には、判定手段２０から判定信号ＨOを停止手段２１およびメールボックス１７に提供する制御を実行する。
【００９２】
さらに、緊急メール発信制御手段１６は、判定信号ＨOに基づいて停止手段２１から停止信号ＳTをメールボックス１７に供給し、送信中の留守案内メッセージＭRを停止する制御を行う。
【００９３】
また、緊急メール発信制御手段１６は、留守案内メッセージＭRを停止した後、判定信号ＨOに基づいてメールボックス１７から転送先電子メールアドレスＡDを読み出し、メールアドレス送信手段２２から送信する制御を実行する。
【００９４】
メールボックス１７は、ＥＥＰＲＯＭやフラッシュメモリなどのメモリで構成し、秘密キーＫRを登録する秘密キー記憶領域、転送先電子メールアドレスＡDを登録するメールアドレス記憶領域、特定の電子メールＥMを登録する電子メール記憶領域、留守案内メッセージＭRを蓄積する留守メッセージ記憶領域、発信元端末（たとえば、加入電話機ＴＥＬ）からの伝言メッセージを蓄積する伝言メッセージ記憶領域を備える。なお、上記の記憶領域は、複数の内線電話機ＴＥに対応できるように、それぞれメールボックスを備える。
【００９５】
また、メールボックス１７は、緊急メール発信制御手段１６が実行するシーケンス動作制御のためのシーケンスプログラムを格納する。
【００９６】
秘密キー受信手段１８は、番号検出器や音声検出器などで構成し、緊急メール発信制御手段１６の制御により、留守案内メッセージＭRの送信中に、発信元端末（例えば、加入電話機ＴＥＬ）から構内交換機２を介して送信されてくる秘密キーＫS（暗証番号や音声）を受信し、秘密キーＫSを緊急メール発信制御手段１６に提供する。
【００９７】
照合手段１９は、緊急メール発信制御手段１６から提供される受信した秘密キーＫSと登録された秘密キーＫRを照合し、照合結果を緊急メール発信制御手段１６を介して判定手段２０に提供する。
【００９８】
判定手段２０は、照合手段１９から提供された照合結果を基づき、受信した秘密キーＫSが登録された秘密キーＫRと一致するか否かを判定し、一致する場合には判定信号ＨOを緊急メール発信制御手段１６を介して停止手段２１およびメールボックス１７に提供する。
【００９９】
停止手段２１は、判定手段２０から判定信号ＨOが供給されると、停止信号ＳTを緊急メール発信制御手段１６に提供する。
【０１００】
停止信号ＳTが供給されると、緊急メール発信制御手段１６がメールボックス１７の留守案内メッセージＭRの読み出しを停止することにより、留守案内メッセージＭRの送信が停止する。
【０１０１】
留守案内メッセージＭRの停止後、メールボックス１７は、判定信号ＨOに基づいて登録されている転送先電子メールアドレスＡDを緊急メール発信制御手段１６を介してメールアドレス送信手段２２に提供する。
【０１０２】
メールアドレス送信手段２２は、緊急メール発信制御手段１６から転送先電子メールアドレスＡDが提供されると、転送先電子メールアドレスＡDを入／出力手段１２を介して内線ＬＩ２に送信する。
【０１０３】
入／出力手段１２は、内線ＬＩ２とのインタフェースを取り、呼出信号ＹS、留守案内メッセージＭR、秘密キーＫS、転送先電子メールアドレスＡDおよび特定の電子メールＥMの送信、通話の音声信号の入力および出力などを実行する。
【０１０４】
なお、発信元端末は、図３に示す加入電話機ＴＥＬで説明したが、図示しない他の内線電話機ＴＥまたは、図示しない他の携帯電話機ＭＴであってもよい。
【０１０５】
また、秘密キーＫRおよび秘密キーＫSは、ＰＢ信号などの暗証番号（任意の数字列）、携帯電話機ＭＴの使用者や発信元端末の使用者の音声（任意の言葉、単語、声紋）、メロディなど局線Ｌ１，Ｌ２や内線ＬＩ２を送信可能で、メール装置３で受信可能なデータであればよい。
【０１０６】
このように、この発明に係る電子メール送信手段１５は、転送先電子メールアドレスＡD、秘密キーＫRおよび特定の電子メールＥMを登録するとともに、留守案内メッセージＭRおよび伝言メッセージを蓄積するメールボックス１７と、構内交換機２を介して送信されてくる秘密キーＫSを受信する秘密キー受信手段１８と、秘密キー受信手段１８が受信した秘密キーＫSとメールボックス１７に登録された秘密キーＫRを照合する照合手段１９と、受信した秘密キーＫSと登録された秘密キーＫRとの一致を判定する判定手段２０と、判定手段２０からの判定信号HOに基づいて留守案内メッセージＭRを停止する停止手段２１と、判定手段２０からの判定信号ＨOに基づいてメールボックス１７に登録された転送先電子メールアドレスＡDを送信するメールアドレス送信手段２２と、転送先携帯電話機（携帯電話機ＭＴ）が応答すると、特定の電子メールＥMの送信を制御するとともに、シーケンス動作を制御する緊急メール発信制御手段１６とを備えたので、秘密キーＫSの受信により、留守モード設定時の留守案内メッセージＭRおよび伝言メッセージ録音の一連のシーケンス動作をスキップして転送先携帯電話機（携帯電話機ＭＴ）に転送先電子メールアドレスＡDを送信し、転送先携帯電話機（携帯電話機ＭＴ）の応答によって特定の電子メールＥMを送信して緊急の用件を伝えることができ、発信元端末からの着信から転送先携帯電話機（携帯電話機ＭＴ）への電子メール送信を最短時間で実行し、利便性の向上を図ることができる。
【０１０７】
図５はこの発明に係る携帯電話機の実施の形態ブロック構成図である。図５において、携帯電話機ＭＴは、他の携帯電話機ＭＴａとともに、公衆網ＮＴに無線で接続される。また、公衆網ＮＴには、局線Ｌ２を介して加入電話機ＴＥＬが接続されるとともに、局線Ｌ１を介して構内交換機２が接続され、構内交換機２には、内線ＬＩ１を介して内線電話機ＴＥが収容される。
【０１０８】
なお、携帯電話機ＭＴａ、加入電話機ＴＥＬおよび内線電話機ＴＥは、携帯電話機ＭＴが留守モードに設定されている時、携帯電話機ＭＴを呼び出して緊急の用件を伝える発信元端末（発信者）の役割を演ずる。
【０１０９】
携帯電話機ＭＴは、秘密キーを登録し、留守モード設定時に、公衆網ＮＴからの着信にノンリンギングで応答し、留守案内メッセージを送信中に公衆網ＮＴから秘密キーを受信すると、受信した秘密キーと登録された秘密キーを照合し、両秘密キーが一致する場合には、リンギングを鳴動して緊急の着信を通知する緊急着信手段２３を備える。
【０１１０】
携帯電話機ＭＴの使用者は、会議中やコンサートの聴取中には、携帯電話機ＭＴを留守モードに設定し、発信元端末（発信者）から着信があると、ノンリングで応答して予め設定した留守案内メッセージを発信者に送信し、留守案内メッセージが終了すると、発信者の伝言メッセージを録音するようにする。
【０１１１】
しかし、携帯電話機ＭＴが留守モード設定中であっても、発信者が緊急の用件があり、携帯電話機ＭＴの使用者と通話を可能にするため、発信者と携帯電話機ＭＴの使用者との間で予め秘密キー（暗証番号や音声）を決定しておき、発信者が携帯電話機ＭＴから留守案内メッセージを受けている最中に、秘密キーを入力することにより、携帯電話機ＭＴが秘密キーを受信し、受信した秘密キーと予め登録した秘密キーを照合して、受信した秘密キーと登録した秘密キーが一致する場合には、留守モード設定中に拘わらず、携帯電話機ＭＴをリンギング鳴動させ、携帯電話機ＭＴの使用者が緊急の用件と判断して応答し、発信者と使用者が通話可能になり、発信者は緊急の用件を使用者に最短時間で通知する。
【０１１２】
このように、この発明に係る携帯電話機ＭＴは、秘密キーを登録し、留守モード設定時に、公衆網ＮＴからの着信にノンリンギングで応答し、留守案内メッセージを送信中に公衆網ＮＴから秘密キーを受信すると、受信した秘密キーと登録された秘密キーを照合し、両秘密キーが一致する場合には、リンギングを鳴動して緊急の着信を通知する緊急着信手段２３を備えたので、留守モード設定時に、着信音を鳴音しないノンリンギング設定であっても、秘密キーを受信するとリンギング（着信音）を鳴動して緊急の着信であることを通知することができ、ノンリンギングを解除するほどの緊急な用件または重要な用件であることを通知して、最優先で緊急の用件を最短時間で通知し、通話することができる。
【０１１３】
図６はこの発明に係る緊急着信手段の一実施の形態要部ブロック構成図である。図６において、携帯電話機ＭＴの緊急着信手段２３は、マイクロプロセッサおよびメモリを基本に構成し、緊急着信制御手段２４、記憶手段２５、秘密キー受信手段２６、照合手段２７、判定手段２８、停止手段２９、着信音発生手段３０を備え、無線信号の送受信を行うＲＦ回路３１に接続し、アンテナＡＴを介して公衆網ＮＴと無線で交信する。
【０１１４】
緊急着信制御手段２４は、緊急着信手段２３の全体の動作を制御するとともに、シーケンス動作を制御する。
【０１１５】
緊急着信制御手段２４は、図示しないキーボードなどの入力手段からの設定により、記憶手段２５に秘密キーＫR、ノンリンギング解除情報ＪK、留守モード設定時に送信する留守案内メッセージＭRの登録、留守モード設定中に着信する発信元端末（例えば、内線電話機ＴＥ、加入電話機ＴＥＬ、携帯電話機ＭＴａ）の使用者（発信者）の伝言メッセージを録音する伝言メッセージ記憶領域を設定する制御を実行する。
【０１１６】
また、緊急着信制御手段２４は、留守モード設定時に、公衆網ＮＴから送信されてくる発信元端末（発信者）からの着信（呼出信号ＹS）をノンリンギングで受信し、記憶手段２５に登録された留守案内メッセージＭRを読み出し、ＲＦ回路３１を介して無線で公衆網ＮＴに送信する制御を行う。
【０１１７】
さらに、緊急着信制御手段２４は、留守案内メッセージＭRを送信中に、発信者（内線電話機ＴＥ、加入電話機ＴＥＬ、携帯電話機ＭＴａ）から公衆網ＮＴを介して秘密キー受信手段２６が秘密キーＫSを受信すると、記憶手段２５に登録された秘密キーＫRを読み出し、登録された秘密キーＫRと受信した秘密キーＫSとを照合手段２７に提供して照合する制御を実行する。
【０１１８】
また、緊急着信制御手段２４は、照合手段２７の照合結果を判定手段２８に提供し、登録された秘密キーＫRと受信した秘密キーＫSとが一致するか否かの判定を制御し、秘密キーＫSが秘密キーＫRに一致する場合（秘密キーＫS＝秘密キーＫR）には、判定手段２８から判定信号ＨOを停止手段２９および記憶手段２５に提供する制御を実行する。
【０１１９】
さらに、緊急着信制御手段２４は、判定信号ＨOに基づいて停止手段２９から停止信号ＳTを記憶手段２５に供給し、送信中の留守案内メッセージＭRを停止する制御を行う。
【０１２０】
また、緊急着信制御手段２４は、留守案内メッセージＭRを停止した後、判定信号ＨOに基づいて記憶手段２５に登録されたノンリンギング解除情報ＪKを読み出し、着信音発生手段３０に提供してノンリンギング設定を解除し、着信音発生手段３０からリンギング（着信音）を鳴動する制御を実行する。
【０１２１】
記憶手段２５は、ＥＥＰＲＯＭやフラッシュメモリなどのメモリで構成し、秘密キーＫRを登録する秘密キー記憶領域、ノンリンギング解除情報ＪKを登録するノンリンギング解除記憶領域、留守案内メッセージＭRを蓄積する留守メッセージ記憶領域、発信元端末（たとえば、加入電話機ＴＥＬ）からの伝言メッセージを蓄積する伝言メッセージ記憶領域を備える。
【０１２２】
また、記憶手段２５は、緊急着信制御手段２４が実行するシーケンス動作制御のためのシーケンスプログラムを格納する。
【０１２３】
秘密キー受信手段２６は、番号検出器や音声検出器などで構成し、緊急着信制御手段２４の制御により、留守案内メッセージＭRの送信中に、発信元端末（例えば、内線電話機ＴＥ、加入電話機ＴＥＬ、携帯電話機ＭＴａ）から公衆網ＮＴを介して無線で送信されてくる秘密キーＫS（暗証番号や音声）を受信し、秘密キーＫSを緊急着信制御手段２４に提供する。
【０１２４】
照合手段２７は、緊急着信制御手段２４から提供される受信した秘密キーＫSと登録された秘密キーＫRを照合し、照合結果を緊急着信制御手段２４を介して判定手段２８に提供する。
【０１２５】
判定手段２８は、照合手段２７から提供される照合結果に基づき、受信した秘密キーＫSが登録された秘密キーＫRと一致するか否かを判定し、一致する場合には判定信号ＨOを緊急着信制御手段２４を介して停止手段２９および記憶手段２５に提供する。
【０１２６】
停止手段２９は、判定手段２８から判定信号ＨOが供給されると、停止信号ＳTを記憶手段２５に提供する。
【０１２７】
停止信号ＳTが供給されると、緊急着信制御手段２４が記憶手段２５の留守案内メッセージＭRの読み出しを停止することにより、留守案内メッセージＭRの送信が停止する。
【０１２８】
留守案内メッセージＭRの停止後、記憶手段２５は、判定信号ＨOに基づいて登録されているノンリンギング解除情報ＪKを緊急着信制御手段２４を介して着信音発生手段３０に提供する。
【０１２９】
着信音発生手段３０は、緊急着信制御手段２４からノンリンギング解除情報ＪKが提供されると、ノンリンギング設定を解除し、リンギング鳴動状態にし、着信音を発生する。
【０１３０】
秘密キーＫSの受信により、ノンリンギングで応答し、留守案内メッセージＭR送出中であっても、留守案内メッセージＭRを停止し、留守案内メッセージＭRに続く伝言メッセージ録音をスキップさせ、リンギング（着信音）鳴動させて発信者からの緊急の用件を着信音で通知することができる。
【０１３１】
なお、秘密キーＫRおよび秘密キーＫSは、ＰＢ信号などの暗証番号（任意の数字列）、携帯電話機ＭＴの使用者や発信元端末の使用者の音声（任意の言葉、単語、声紋）、メロディなど局線Ｌ１，Ｌ２や内線ＬＩ２を送信可能で、携帯電話機ＭＴで受信可能なデータであればよい。
【０１３２】
このように、この発明に係る緊急着信手段２４は、秘密キーＫRを登録するとともに、留守案内メッセージＭRおよび伝言メッセージを蓄積する記憶手段２５と、公衆網ＮＴから送信されてくる秘密キーＫSを受信する秘密キー受信手段２６と、秘密キー受信手段２６が受信した秘密キーＫSと記憶手段２５に登録された秘密キーＫRを照合する照合手段２７と、受信した秘密キーＫSと登録された秘密キーＫRとの一致を判定する判定手段２８と、判定手段２８からの判定信号ＨOに基づいて留守案内メッセージＭRを停止する停止手段２９と、判定手段２８からの判定信号ＨOに基づいてリンギングを鳴動する着信音発生手段３０と、シーケンス動作を制御する緊急着信制御手段２４とを備えたので、秘密キーＫSの受信により、留守モード設定時の留守案内メッセージＭRおよび伝言メッセージ録音の一連のシーケンス動作をスキップするとともに、ノンリンギング設定を解除してリンギングを鳴動して緊急の用件の着信であることを通知することができ、最短時間で着信に応答し、内容の確認を実行し、利便性の向上を図ることができる。
【０１３３】
また、この発明に係る秘密キーＫRは、暗証番号や音声であるので、暗証番号の場合には予め相手に知らせ、音声の場合には予め留守モードを設定する側の声を相手電話機（発信元端末）に録音することによって形成することができる。また、秘密キーは、音声に代えてメロディであってもよい。したがって、比較的単純な構成で実現することができる。
【０１３４】
次に、この発明に係るメール装置の緊急発信方法について説明する。図７はこの発明に係るメール装置の緊急発信方法の一実施の形態要部動作フロー図である。なお、動作フローは、図２を参照して説明する。図７において、メール装置の緊急発信方法は、秘密キーを用いて緊急発信を行う緊急発信方法であって、ステップＳ１では、転送先携帯電話番号と秘密キーを登録する。なお、ステップＳ１の動作は、緊急発信制御手段５およびメールボックス６が実行する。
【０１３５】
ステップＳ２では、留守モードに設定する。なお、ステップＳ２の動作は、緊急発信制御手段５およびメールボックス６が実行する。
【０１３６】
ステップＳ３では、発信元端末からの着信に応答して留守案内メッセージを送信する。なお、ステップＳ３の動作は、緊急発信制御手段５およびメールボックス６が実行する。
【０１３７】
ステップＳ４では、留守案内メッセージを送信中に、発信元端末から秘密キーを受信する。なお、ステップＳ４の動作は、秘密キー受信手段７が実行する。
【０１３８】
ステップＳ５では、受信した秘密キーと登録された秘密キーを照合する。なお、ステップＳ５の動作は、緊急発信制御手段５、メールボックス６および照合手段８が実行する。
【０１３９】
ステップＳ６では、両秘密キーが一致するか否かを判定する。なお、ステップＳ６の動作は、判定手段９が実行する。
【０１４０】
ステップＳ７では、両秘密キーが一致する場合には、留守案内メッセージの送信を停止する。なお、ステップＳ７の動作は、緊急発信制御手段５，メールボックス６および停止手段１０が実行する。
【０１４１】
ステップＳ８では、登録された転送先携帯電話番号をダイヤル発信する。なお、ステップＳ８の動作は、緊急発信制御手段５、メールボックス６およびダイヤル発信手段１１が実行する。
【０１４２】
ステップＳ９では、ステップＳ６で両秘密キーが一致しない場合、留守案内メッセージの送信を継続し、ステップＳ１０で、留守案内メッセージの送信終了後、伝言メッセージの録音を実行する。
【０１４３】
このように、この発明に係るメール装置の緊急発信方法は、転送先携帯電話番号と秘密キーを登録するステップＳ１と、留守モードに設定するステップＳ２と、発信元端末からの着信に応答して留守案内メッセージを送信するステップＳ３と、留守案内メッセージを送信中に、発信元端末から秘密キーを受信するステップＳ４と、受信した秘密キーと登録された秘密キーを照合するステップＳ５と、両秘密キーが一致するか否かを判定するステップＳ６と、両秘密キーが一致する場合には、留守案内メッセージの送信を停止するステップＳ７と、登録された転送先携帯電話番号をダイヤル発信するステップＳ８とを備えたので、転送先携帯電話番号と秘密キーを登録することにより、留守モード設定時に着信があり、続いて秘密キーを受信すると、直ちに転送先携帯電話番号をダイヤル発信して転送先携帯電話機に接続することができ、緊急の用件を最短時間で通知することができる。
【０１４４】
続いて、この発明に係る携帯電話機の着信通知方法について説明する。図８はこの発明に係る携帯電話機の着信通知方法の一実施の形態要部ブロック構成図である。なお、動作フローは、図６を参照にして説明する。図８において、この発明に係る携帯電話機の着信通知方法は、秘密キーを用いて緊急の着信を通知する着信通知方法であって、ステップＰ１では、秘密キーを登録する。なお、ステップＰ１の動作は、緊急着信制御手段２４および記憶手段２５が実行する。
【０１４５】
ステップＰ２では、留守モードに設定する。なお、ステップＰ２の動作は、緊急着信制御手段２４および記憶手段２５が実行する。
【０１４６】
ステップＰ３では、発信元端末からの着信にノンリンギング応答して留守案内メッセージを送信する。なお、ステップＰ３の動作は、緊急着信制御手段２４、記憶手段２５および着信音発生手段３０が実行する。
【０１４７】
ステップＰ４では、留守案内メッセージを送信中に、発信元端末からから秘密キーを受信する。なお、ステップＰ４の動作は、秘密キー受信手段２６が実行する。
【０１４８】
ステップＰ５では、受信した秘密キーと登録された秘密キーを照合する。なお、ステップＰ５の動作は、緊急着信制御手段２４、記憶手段２５および照合手段２７が実行する。
【０１４９】
ステップＰ６では、両秘密キーが一致するか否かを判定する。なお、ステップＰ６の動作は、緊急着信制御手段２４および判定手段２８が実行する。
【０１５０】
ステップＰ７では、両秘密キーが一致する場合には、留守案内メッセージの送信を停止する。なお、ステップＰ７の動作は、緊急着信制御手段２４、記憶手段２５および停止手段２９が実行する。
【０１５１】
ステップＰ８では、リンギングを鳴動し、緊急の着信を通知する。なお、ステップＰ８の動作は、緊急着信制御手段２４、記憶手段２５および着信音発生手段３０が実行する。
【０１５２】
ステップＰ９では、ステップＰ６で両秘密キーが一致しない場合、留守案内メッセージの送信を継続し、ステップＰ１０で、留守案内メッセージの送信終了後、伝言メッセージの録音を実行する。
【０１５３】
このように、この発明に係る携帯電話機の着信通知方法は、秘密キーを用いて緊急の着信を通知する着信通知方法であって、秘密キーを登録するステップＰ１と、留守モードに設定するステップＰ２と、発信元端末からの着信にノンリンギング応答して留守案内メッセージを送信するステップＰ３と、留守案内メッセージを送信中に、発信元端末からから秘密キーを受信するステップＰ４と、受信した秘密キーと登録された秘密キーを照合するステップＰ５と、両秘密キーが一致するか否かを判定するステップＰ６と、両秘密キーが一致する場合には、留守案内メッセージの送信を停止するステップＰ７と、リンギングを鳴動し、緊急の着信を通知するステップＰ８とを備えたので、留守モード設定時のノンリンギング設定であっても、秘密キーを受信すると直ちにノンリンギング設定を解除し、リンギング（着信音）を鳴動させて緊急の着信であることを通知することができ、最優先で緊急の用件を最短時間で通知し、通話することができる。
【産業上の利用可能性】
【０１５４】
本発明に係るメール装置および携帯電話機ＭＴは、留守モード設定時に、発信元端末（発信者）から着信があると、留守案内メッセージを発信者に送出するが、留守案内メッセージの最中に、発信者から秘密キーを受信すると、直ちに留守案内メッセージを停止し、携帯電話機ＭＴにダイヤル発信したり、携帯電話機ＭＴのリンギングを鳴動したりすることにより、最短時間で緊急の着信を通知するものであり、留守モードに設定するあらゆるメール装置および携帯電話機に適用することができる。
【図面の簡単な説明】
【０１５５】
【図１】この発明に係るメール装置が適用される構内交換システムの一実施の形態システム構成図
【図２】この発明に係る緊急発信手段の一実施の形態要部ブロック構成図
【図３】この発明に係るメール装置が適用される構内交換システムの別実施の形態システム構成図
【図４】この発明に係る電子メール送信手段の一実施の形態要部ブロック構成図
【図５】この発明に係る携帯電話機の実施の形態ブロック構成図
【図６】この発明に係る緊急着信手段の一実施の形態要部ブロック構成図
【図７】この発明に係るメール装置の緊急発信方法の一実施の形態要部動作フロー図
【図８】この発明に係る携帯電話機の着信通知方法の一実施の形態要部ブロック構成図
【符号の説明】
【０１５６】
１，１３    構内交換システム
２    構内交換機
３，１４    メール装置
４    緊急発信手段
５    緊急発信制御手段
６，１７    メールボックス
７，１８，２６    秘密キー受信手段
８，１９，２７    照合手段
９，２０，２８    判定手段
１０，２１，２９    停止手段
１１    ダイヤル発信手段
１２    入／出力手段
１５    電子メール送信手段
１６    緊急メール発信制御手段
２２    メールアドレス送信手段
２３    緊急着信手段
２４    緊急着信制御手段
２５    記憶手段
３０    着信音発生手段
３１    ＲＦ回路
ＴＥ    内線電話機
ＴＥＬ    加入電話機電話機
ＭＴ，ＭＴａ    携帯電話機
ＬＩ１，ＬＩ２    内線
Ｌ１，Ｌ２    局線
ＮＴ    公衆網
ＫS，ＫR    秘密キー
ＮK    転送先携帯電話番号
ＡD    転送先電子メールアドレス
ＪK    ノンリンギング解除情報
ＥM    特定の電子メール
ＭR    留守案内メッセージ
ＨO    判定信号
ＳT    停止信号
【図１】
2006080630.tif 000003
【図２】
2006080630.tif 000004
【図３】
2006080630.tif 000005
【図４】
2006080630.tif 000006
【図５】
2006080630.tif 000007
【図６】
2006080630.tif 000008
【図７】
2006080630.tif 000009
【図８】
2006080630.tif 000010